(57)【要約】【課題】冗長化した系の切り替えを、異なる各レイヤ制御に適切なタイミングで行え、接続断を防止する。【解決手段】ＲＥＣ１０１は、伝送路１２１を介してＲＥ１１１と接続される。ＲＥＣ１０１は、複数の系統のＲＥＣ処理部１０２Ａ，１０２Ｂと、複数の系統のＲＥＣ処理部１０２Ａ，１０２ＢのいずれかをＲＥ１１１の信号処理部１１２に切り替え接続する切替制御部１０５と、を有する。ＲＥＣ処理部１０２Ａ，１０２Ｂは、複数の異なるレイヤのプロトコルにしたがった通信制御を行う。切替制御部１０５は、系統の切り替え時には、切り替え先のＲＥＣ処理部１０２Ｂに対しレイヤ１の状態遷移を抑制し、切り替え先のＲＥＣ処理部１０２ＢとＲＥ１１１との間の対向する信号処理部１０２Ｂ，１１３同士間で行うレイヤ２，３の切り替え接続のコマンド送信を待機させた間に物理的スイッチを切り替える制御を行う。【選択図】図１
2017092919.tif 000002
【特許請求の範囲】
【請求項１】
伝送路を介して無線装置と接続される無線制御装置において、
複数の系統の信号処理部と、
複数の前記系統の前記信号処理部のいずれかを前記無線装置の信号処理部に切り替え接続する切替制御部と、を有し、
前記信号処理部は、複数の異なるレイヤのプロトコルにしたがった通信制御を行い、
前記切替制御部は、前記系統の切り替え時には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする無線制御装置。
【請求項２】
前記切替制御部は、前記系統の切り替え時には、対向する前記信号処理部同士が前記レイヤ１でビットレート整合が取れた状態であっても、状態遷移を抑制する、
ことを特徴とする請求項１に記載の無線制御装置。
【請求項３】
前記切替制御部は、前記系統の切り替え時には、切り替え先の前記信号処理部に対し、前記レイヤ１で用いる制御情報の一部の領域を用いて前記レイヤ１の状態遷移を抑制するコマンドを送信する、
ことを特徴とする請求項１または２に記載の無線制御装置。
【請求項４】
前記切替制御部は、前記コマンドの一部のビットを用い、状態遷移の許可あるいは抑制を通知する、
ことを特徴とする請求項３に記載の無線制御装置。
【請求項５】
前記切替制御部は、前記状態遷移の抑制時には、前記レイヤ１のプロトコル上におけるタイムアップ用のタイマのカウントを中断し、他の状態への遷移を抑制し、
前記系統の切り替え後に、前記タイマのカウントを再開させ、前記レイヤ１の状態遷移を許可する、
ことを特徴とする請求項１〜４のいずれか一つに記載の無線制御装置。
【請求項６】
前記切替制御部は、前記状態遷移の抑制の期間中、対向する前記信号処理部同士間で前記上位レイヤの通信状態をモニタし、当該通信状態に基づき、前記物理的スイッチを切り替えて前記系統を切り替える、
ことを特徴とする請求項１〜５のいずれか一つに記載の無線制御装置。
【請求項７】
前記切替制御部は、前記状態遷移の抑制の期間中、対向する前記信号処理部同士間でレイヤ３のヘルスチェックのコマンド要求および返答が送受信されたことに基づき、前記系統を切り替える、
ことを特徴とする請求項６に記載の無線制御装置。
【請求項８】
前記レイヤ１は、ＣＰＲＩ（Ｃｏｍｍｏｎ  Ｐｕｂｌｉｃ  Ｒａｄｉｏ  Ｉｎｔｅｒｆａｃｅ）プロトコルであり、複数の系統の前記信号処理部は、ＣＰＲＩインタフェースを介して、前記無線装置の前記信号処理部に切り替え接続される、
ことを特徴とする請求項１〜７のいずれか一つに記載の無線制御装置。
【請求項９】
無線制御装置と、前記無線制御装置と伝送路を介して接続される無線装置と、を有する無線通信システムにおいて、
前記無線制御装置は、複数の系統の信号処理部と、
複数の前記系統の前記信号処理部のいずれかを前記無線装置の信号処理部に切り替え接続する切替制御部と、を有し、
前記信号処理部は、複数の異なるレイヤのプロトコルにしたがった通信制御を行い、
前記切替制御部は、前記系統の切り替え時には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする無線通信システム。
【請求項１０】
前記切替制御部を前記無線装置に設けたことを特徴とする請求項９に記載の無線通信システム。
【請求項１１】
複数の異なるレイヤのプロトコルにしたがった通信制御を行う複数の系統の信号処理部を有する無線制御装置と、前記無線制御装置と伝送路を介して接続される信号処理部を有する無線装置と、の間の無線通信の接続切り替え方法において、
前記無線制御装置は、複数の前記系統の前記信号処理部のいずれかを前記無線装置の信号処理部に切り替え接続する際には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする接続切り替え方法。
【発明の詳細な説明】
【技術分野】
【０００１】
本発明は、複数の信号処理部の系統を切り替えて無線装置に接続する無線制御装置と、無線通信システムおよび接続切り替え方法に関する。
【背景技術】
【０００２】
無線通信システムとして、例えば、基地局装置（ＢＳ：Ｂａｓｅ  Ｓｔａｓｔｉｎ）は、無線制御装置（ＲＥＣ：Ｒａｄｉｏ  Ｅｑｕｉｐｍｅｎｔ  Ｃｏｎｔｒｏｌｌｅｒ）と、無線装置（ＲＥ：Ｒａｄｉｏ  ｐｒｏｃｅｓｓｉｎｇ  Ｅｑｕｉｐｍｅｎｔ）とを含む。無線制御装置（ＲＥＣ）と、無線装置（ＲＥ）は、光ファイバ等の伝送路、例えば、ＣＰＲＩ（Ｃｏｍｍｏｎ  Ｐｕｂｌｉｃ  Ｒａｄｉｏ  Ｉｎｔｅｒｆａｃｅ）のリンク接続により互いが接続される。ＲＥＣ内で運用系と予備系の２つの処理部を冗長化して設け、系の切り替えを行うことで、例えば、保守時等でも通信サービスが途切れることなく継続できる。
【０００３】
従来技術として、例えば、運用系から予備系への切り替え要求時に、運用系と予備系の信号の位相差の吸収や同期確保後に運用系を切り離して、予備系での運用に移行する系切り替えの技術が開示されている（例えば、下記特許文献１，２参照。）。
【先行技術文献】
【特許文献】
【０００４】
【特許文献１】特開２００７−３０６３６２号公報
【特許文献２】特開平４−４７８２２号公報
【発明の概要】
【発明が解決しようとする課題】
【０００５】
しかしながら、従来の技術では、系の切り替えを行う際に、運用系のリンク接続を切った後に予備系のリンク接続を行うため、無線データ（Ｉ／Ｑデータ）が切断し、ユーザ（端末）への電波送信が途切れた。
【０００６】
従来技術では、系の切り替えには、ＲＥＣとＲＥ間の接続が初期段階（レイヤ１〜レイヤ３の順）から順次実施して装置を立ち上げるため、再度通信可能な状態に回復するまでに時間がかかった。従来、ＲＥＣとＲＥとの間の系切り替えで異なるレイヤ間、例えば、レイヤ１のＣＰＲＩプロトコル制御と、レイヤ２のＬＡＰＢ（Ｌｉｎｋ  Ａｃｃｅｓｓ  Ｐｒｏｃｅｄｕｒｅ，Ｂａｌａｎｃｅｄ）プロトコル制御とで切り替えタイミングの制御が連携していない。最下位のレイヤ１が上位レイヤのプロトコルを無視して系（通信）を切断すると、例えば、通信中のデータが強制的に途切れて、再送の発生およびコアネットワークのトラフィック増大が生じる。
【０００７】
一つの側面では、本発明は、冗長化した系の切り替えを、異なる各レイヤ制御に適切なタイミングで行え、接続断を防止することを目的とする。
【課題を解決するための手段】
【０００８】
一つの案では、無線制御装置は、伝送路を介して無線装置と接続され、複数の系統の信号処理部と、複数の前記系統の前記信号処理部のいずれかを前記無線装置の信号処理部に切り替え接続する切替制御部と、を有し、前記信号処理部は、複数の異なるレイヤのプロトコルにしたがった通信制御を行い、前記切替制御部は、前記系統の切り替え時には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、ことを要件とする。
【発明の効果】
【０００９】
一つの実施形態によれば、冗長化した系の切り替えを、異なる各レイヤ制御に適切なタイミングで行え、接続断を防止できる。
【図面の簡単な説明】
【００１０】
【図１】図１は、実施の形態１にかかる無線通信システムの構成例を示す図である。
【図２】図２は、実施の形態１にかかる無線通信システムにおけるＣＰＲＩ状態遷移例を示す遷移図である。
【図３】図３は、実施の形態１にかかるＣＰＲＩのコントロールワードに基づくＣＰＲＩプロトコル部の動作規定を示す図表である。
【図４】図４は、実施の形態１にかかるＣＰＲＩのコントロールワードのフォーマット例を示す図表である。
【図５】図５は、実施の形態１にかかるＣＰＲＩプロトコル部の動作処理例を示すフローチャートである。
【図６】図６は、実施の形態１にかかる無線通信システムの各部の動作を示すシーケンス図である。
【図７】図７は、実施の形態１にかかる切替制御部の動作処理例を示すフローチャートである。
【図８】図８は、実施の形態２にかかる無線通信システムの各部の動作を示すシーケンス図である。
【図９】図９は、実施の形態２にかかる切替制御部の動作処理例を示すフローチャートである。
【図１０】図１０は、実施の形態３にかかる無線通信システムの構成例を示す図である。
【図１１】図１１は、既存技術による切り替え制御を説明するための図である。
【図１２】図１２は、既存技術による切り替え制御内容を示すフローチャートである。
【図１３】図１３は、既存技術による切り替え制御を示すシーケンス図である。
【発明を実施するための形態】
【００１１】
（実施の形態１）
開示の無線制御装置、無線通信システムおよび接続切り替え方法の実施の形態を詳細に説明する。
【００１２】
図１は、実施の形態１にかかる無線通信システムの構成例を示す図である。無線通信システムとして、無線制御装置（ＲＥＣ）１０１と、無線装置（ＲＥ）１１１と、ＲＥＣ１０１とＲＥ１１１との間を接続する光ファイバ等の伝送路（例えばＣＰＲＩ接続リンク）１２１と、を含む基地局装置（ＢＳ）１００を例に説明する。
【００１３】
ＲＥＣ１０１は、信号処理部として複数系統のＲＥＣ処理部１０２と、切替制御部１０５と、を含む。ＲＥＣ処理部１０２は、図１の例では２系統であり、運用系のＲＥＣ処理部１０２Ａと、予備系のＲＥＣ処理部１０２Ｂを有する。
【００１４】
運用系とは所定の時期に通信稼働している系であり、その際予備系は待機している。したがって、ＲＥＣ処理部１０２Ａ，１０２Ｂは、系の切り替え制御により運用系あるいは予備系のいずれかに入れ替わる。なお、以下の実施の形態で説明する系の切り替えは、保守作業等に基づき行うものであり、運用系および予備系ともに正常動作することを前提としている。
【００１５】
運用系および予備系のＲＥＣ処理部１０２は、ベースバンド信号を処理するベースバンド信号処理部の一機能として設けられる。ＲＥＣ処理部１０２は、レイヤ１（Ｌ１，物理層）のプロトコル制御を行うＣＰＲＩプロトコル部１０４（１０４Ａ，１０４Ｂ）と、上位レイヤのプロトコル制御を行う上位プロトコル部１０３（１０３Ａ，１０３Ｂ）と、を含む。
【００１６】
実施の形態１では、上位プロトコル部１０３は、ネットワークのＯＳＩ参照モデルのレイヤ１よりも上位レイヤ層、例えば、レイヤ２（Ｌ２、データリンク層）のプロトコル制御を行う。
【００１７】
切替制御部１０５は、２系統（運用系および予備系）のＣＰＲＩプロトコル部１０５（１０６Ａ，１０６Ｂ）と、制御部１０７と、を含む。２系統のＣＰＲＩプロトコル部１０６Ａ，１０６Ｂは、制御部１０７の制御に基づき、ＲＥＣ処理部１０２のうち対応する同系のＣＰＲＩプロトコル部１０４（１０４Ａ，１０４Ｂ）との間で制御信号を送受信し、ＣＰＲＩプロトコルにしたがった通信制御を行う。すなわち、制御部１０７による系の切り替え制御時、ＣＰＲＩプロトコル部１０６Ａ，１０６Ｂを介して運用系および予備系のＲＥＣ処理部１０２Ａ，１０２ＢのＣＰＲＩプロトコル部１０４Ａ，１０４Ｂを制御する。
【００１８】
制御部１０７は、系の切り替え時に対応するＣＰＲＩプロトコル部１０６Ａ，１０６Ｂに対して制御信号を送出する。この際、ＣＰＲＩプロトコル部１０６Ａは、対応する運用系のＲＥＣ処理部１０２ＡのＣＰＲＩプロトコル部１０４Ａとの間で制御信号を送受信する。同様に、ＣＰＲＩプロトコル部１０６Ｂは、対応する予備系のＲＥＣ処理部１０２ＢのＣＰＲＩプロトコル部１０４Ｂとの間で制御信号を送受信する。
【００１９】
制御部１０７は、ＣＰＵ（Ｃｅｎｔｒａｌ  Ｐｒｏｃｅｓｓｉｎｇ  Ｕｎｉｔ）や、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリ、バッファおよびスイッチ（ＳＷ）、等を含む。制御部１０７は、ＲＥＣ１０１内の２系統のＲＥＣ処理部１０２（１０２Ａ，１０２Ｂ）を伝送路１２１を介して一つのＲＥ１１１に接続する切り替え制御を行う。制御部１０７内のスイッチは、系の物理的な伝送路（ＣＰＲＩ接続リンク）の切り替えを行い、バッファは、系の切り替え時の情報（データ等）を一時保持し、系の切り替え後に読み出して送出する。
【００２０】
ＲＥ１１１は、ＣＰＲＩプロトコル部１１２と、上位プロトコル部１１３とを含む。ＣＰＲＩプロトコル部１１２は、伝送路１２１を介してＲＥＣ１０１の切替制御部１０５に接続される。上位プロトコル部１１３は、端末との間でＬ２プロトコルにしたがった通信制御を行う。
【００２１】
図１には、ＲＥＣ処理部１０２Ａ，１０２Ｂの系の切り替えに関する構成を主に記載してあり、基地局装置１００内での系の切り替えに関するコマンド等情報の流れを矢印で記載してある。なお、端末および上位装置との間で送受信するデータについても図１の矢印に示すように入出力される。
【００２２】
基地局装置１００の無線通信のデータ送受信に関する構成を述べておく。ＲＥＣ１０１は、上記の他にさらに、ＲＥＣ１０１の全体制御を行う基地局制御部（ＰＦ：ＰｌａｔＦｏｒｍ）１３０と、ネットワークインタフェース（ＮＷＩＦ）１３１と、もう一つの切替制御部１０５ａを含む。また、ＲＥ１１１は、さらに、ＲＦ（Ｒａｄｉｏ  Ｆｒｅｑｕｅｎｃｙ）部１３３を含む。ＲＦ部１３３は、ＲＥＣ１０１のベースバンド帯域の送受信信号を無線周波数の信号に変換し、アンテナを介して端末と無線通信によりデータを送受信する。
【００２３】
ＮＷＩＦ１３１は、図示しない上位装置（ネットワーク網側装置）や他の基地局装置１００と所定のインタフェース（例えば、Ｓ１，Ｘ２インタフェース）を介して接続され、端末との無線通信のための情報およびデータを入出力する。切替制御部１０５ａは、切替制御部１０５と同様の構成であり、切替制御部１０５による系の切り替えに同期して同じ系に切り替える。例えば、切替制御部１０５により、ＲＥ１１１に一方のＲＥＣ処理部１０２Ａを切り替え接続した場合、切替制御部１０５ａはＮＷＩＦ１３１に一方のＲＥＣ処理部１０２Ａを切り替え接続する。
【００２４】
実施の形態１におけるレイヤ１（Ｌ１）プロトコルは、例えばＣＰＲＩプロトコルを含む。また、上位レイヤプロトコルとしては、例えば、レイヤ２（Ｌ２）のＬＡＰＢプロトコルを含む。上述したＣＰＲＩプロトコル部１０４，１１２は、レイヤ１の通信手順にしたがった通信制御を行う。上位プロトコル部１０３，１１３は、レイヤ２のプロトコルにしたがった通信制御を行う。
【００２５】
そして、ＲＥＣ処理部１０２に設けられた上位プロトコル部１０３と、ＣＰＲＩプロトコル部１０４は、それぞれ異なるレイヤ層の通信制御を行うが、系の切り替えにかかる制御信号を切替制御部１０５にも通知する。
【００２６】
実施の形態１では、切替制御部１０５は、系の切り替え時、レイヤ１でのリンク接続状態に基づき、適切なタイミングでレイヤ２以上の上位レイヤでのリンク接続処理を実行できるようにするためにレイヤ１の状態遷移を制御する。
【００２７】
基地局制御部１３０は、ＣＰＵ、メモリ等を用いて構成され、メモリに格納されたプログラムをＣＰＵが実行することにより、基地局装置１００全体の制御を統括する。この基地局制御部１３０は、系の切り替えの制御時に、制御信号（Ｓｅｔｕｐ）を各系のＲＥＣ処理部１０２Ａ，１０２Ｂに出力する。
【００２８】
切替制御部１０５（１０５ａ）は、メモリに格納されたプログラムをＣＰＵが実行することにより、系の切り替え時のスイッチ制御およびバッファ制御を実行する。また、ＣＰＲＩプロトコル部１０６（１０６Ａ，１０６Ｂ）を介して各系のＣＰＲＩプロトコル部１０４（１０４Ａ，１０４Ｂ）との間で制御信号を入出力し、系の切り替えを制御する。
【００２９】
ＣＰＲＩプロトコル部１０４，１０６，１１２、および上位プロトコル部１１３についても、メモリに格納されたプログラムをＣＰＵが実行することにより、系の切り替え時を含む各レイヤ層のプロトコル制御を実行する。
【００３０】
図２は、実施の形態１にかかる無線通信システムにおけるＣＰＲＩ状態遷移例を示す遷移図である。レイヤ１のＣＰＲＩプロトコルは、状態Ａ〜状態Ｇを有する。状態Ａ（スタンバイ：Ｓｔａｎｄｂｙ）は、必要条件がなく、ＣＰＲＩのスタートアップ設定待ち状態である。オペレータは適当なスタートアップコンフィギュレーション（ラインビットレート、Ｃ＆Ｍ（Ｃｏｎｔｒｏｌ＆Ｍａｎａｇｅｍｅｎｔ）チャネル仕様等）を設定できる。
【００３１】
状態Ｂは、レイヤ１同期およびレートネゴシエーション（Ｓｙｎｃｈｒｏｎｉｚａｔｉｏｎ）の状態である。状態Ｂとなるには、使用可能なラインビットレート、プロトコルバージョン、およびＣ＆Ｍプレーン仕様のセットが既知であることを遷移（Ｔｒａｎｓｉｔｉｏｎ１）の必要条件とする。状態Ｂでは、ＣＰＲＩインタフェースのラインビットレートを決定し、マスタポートとスレーブポート（接続された一対のＣＰＲＩプロトコル部１０４，１０６のポート）がレイヤ１同期（ＨＦＮＳＹＮＣ）に達するための状態である。また、Ｌ１タイマのカウントが所定期間経過して満了したとき（Ｌ１  ｓｔａｒｔ−ｕｐ  ｔｉｍｅｒ  ｅｘｐｉｒｅｄ）、状態Ｂに戻る（Ｔｒａｎｓｉｔｉｏｎ１６）。
【００３２】
状態Ｃは、プロトコルセットアップ（Ｐｒｏｔｏｃｏｌ  ｓｅｔｕｐ）の状態である。状態Ｃとなるには、レイヤ１が同期し、ハイパーフレーム構成を解釈できていることを遷移（Ｔｒａｎｓｉｔｉｏｎ２）の必要条件とする。Ｔｒａｎｓｉｔｉｏｎ２ではＬ１タイマのカウントをスタートさせる。状態Ｃでは、マスタポートとスレーブポートとの間で共通のＣＰＲＩプロトコルバージョンを決定する。
【００３３】
状態Ｄは、Ｃ＆Ｍプレーンセットアップ（Ｃｏｎｔｒｏｌ＆Ｍａｎａｇｅｍｅｎｔ  ｐｌａｎｅ  ｓｅｔｕｐ）の状態である。状態Ｄとなるには、レイヤ１が同期し、プロトコルバージョンが合意されていることを遷移（Ｔｒａｎｓｉｔｉｏｎ３）の必要条件とする。状態Ｄでは、Ｃ＆Ｍチャネルのラインビットレートを決定する。
【００３４】
状態Ｅは、インタフェースおよびベンダースペシフィックのネゴシエーション（Ｉｎｔｅｒｆａｃｅ  ａｎｄ  Ｖｅｎｄｅｒ  ＳＰＥＣ  ｎｅｇｏｔｉａｔｉｏｎ）の状態である。状態Ｅでは、レイヤ２制御においてコマンドが送受信できる状態と判断する。状態Ｅとなるには、Ｃ＆Ｍチャネルのラインビットレートが決定されていることを遷移（Ｔｒａｎｓｉｔｉｏｎ４）の必要条件とする。状態Ｅでは、マスタポート側とスレーブポート側のアプリケーション間でベンダースペシフィック領域の用途を決定する。ベンダースペシフィック領域は後述する（図４）。
【００３５】
状態Ｆは、オペレーション（Ｏｐｅｒａｔｉｏｎ）の状態である。状態Ｆとなるには、最適なＣ＆Ｍチャネルが確立していること、ベンダースペシフィック領域の使用について合意されていることを遷移（Ｔｒａｎｓｉｔｉｏｎ６）の必要条件とする。状態Ｆは、通常の通信状態である。
【００３６】
状態Ｇは、パッシブリンク（Ｐａｓｓｉｖｅ  ｌｉｎｋ）の状態である。状態Ｇとなるには、レイヤ１が同期し、プロトコルバージョンが合意されているが、マスタポートがＣ＆Ｍプレーンのセットアップを行わないことを遷移の必要条件とする。この状態Ｇでは、Ｃ＆Ｍプレーンは確立していない。
【００３７】
以上の各遷移状態は、既存のＣＰＲＩプロトコルの仕様で規定されている。実施の形態１では、ＣＰＲＩのコントロールワード（Ｃｏｎｔｒｏｌ  Ｗｏｒｄ）に、状態Ｄから状態Ｅへの遷移時、ビットレートのネゴシエーション完了の有無で通知するＴｒａｎｓｉｔｉｏｎ４に抑制（Ｉｎｈｉｂｉｔ）の規定を新たに設定（定義）する。
【００３８】
系の切り替えを行う際、切替制御部１０５（制御部１０７）は、切り替え先のＣＰＲＩプロトコル部１０６Ｂを介して予備系のＲＥＣ処理部１０２ＢのＣＰＲＩプロトコル部１０４Ｂに対してＴｒａｎｓｉｔｉｏｎ４の抑制（Ｉｎｈｉｂｉｔ）の制御を行う。
【００３９】
実施の形態１では、異なるレイヤ間（レイヤ１、レイヤ２）での状態の不整合の発生を防ぐ。このため、切替制御部１０５（制御部１０７）は、予備系のＲＥＣ処理部１０２ＢのＣＰＲＩプロトコル部１０４Ｂに対するＴｒａｎｓｉｔｉｏｎ４を抑制（Ｉｎｈｉｂｉｔ）するためのＩｎｈｉｂｉｔ  ｏｆ  Ｔｒａｎｓｉｔｉｏｎ４を通知する。上述したように、状態Ｅでは、レイヤ２制御においてコマンドが送受信できる状態である。抑制（Ｉｎｈｉｂｉｔ）により、レイヤ１（Ｌ１）リンクが切断された状態でレイヤ２（Ｌ２）側でのコマンド送信を行った際にコマンド通信が行えずタイムアップが生じ、通信断となる等の問題を回避する。
【００４０】
運用系のＣＰＲＩプロトコル部１０４Ａは、切替制御部１０５内で対応するＣＰＲＩプロトコル部１０６Ａから制御信号（コントロールワード）を受信する。同様に、予備系のＣＰＲＩプロトコル部１０４Ｂは、切替制御部１０５内で対応するＣＰＲＩプロトコル部１０６Ｂから制御信号（コントロールワード）を受信する。
【００４１】
ＣＰＲＩプロトコル部１０４Ｂは、系の切り替え時、コントロールワードで抑制（Ｉｎｈｉｂｉｔ）が通知されている期間は、既存の遷移条件であるＣ＆Ｍチャネルのビットレートのネゴシエーションが完了（ビットレートが整合）しても、状態Ｅに遷移させない。また、Ｌ１タイマのカウンタを停止させる。
【００４２】
図３は、実施の形態１にかかるＣＰＲＩのコントロールワードに基づくＣＰＲＩプロトコル部の動作規定を示す図表である。ＣＰＲＩプロトコル部１０４（１０４Ａ，１０４Ｂ）は、状態Ａ〜状態Ｇのうち、状態Ｄのみ新たに規定したＩｎｈｉｂｉｔ  ｏｆ  Ｔｒａｎｓｉｔｉｏｎ４にしたがう動作を行い、他の状態Ａ〜Ｃ、状態Ｅ〜Ｇでは関与しない（ｄｏｎ’ｔ  ｃａｒｅ）。
【００４３】
状態Ｄについて、Ｉｎｈｉｂｉｔ  ｏｆ  Ｔｒａｎｓｉｔｉｏｎ４は、例えば、「０／１」の１ビットを用いて規定する。切替制御部１０５（制御部１０７）は、状態Ｄにおいて、初期状態では、いずれの系のＣＰＲＩプロトコル部１０６（１０６Ａ，１０６Ｂ）に対してもＩｎｈｉｂｉｔ  ｏｆ  Ｔｒａｎｓｉｔｉｏｎ４の値「０」を通知する。ＣＰＲＩプロトコル部１０６（１０６Ａ，１０６Ｂ）は、対応するＣＰＲＩプロトコル部１０４（１０４Ａ，１０４Ｂ）に対しコントロールワードでＩｎｈｉｂｉｔ  ｏｆ  Ｔｒａｎｓｉｔｉｏｎ４の値「０」を通知する。
【００４４】
そして、実施の形態１では、状態Ｄにおいて系を切り替える場合、切替制御部１０５（制御部１０７）は、切り替え先の予備系のＣＰＲＩプロトコル部１０６Ｂに対して、Ｉｎｈｉｂｉｔ  ｏｆ  Ｔｒａｎｓｉｔｉｏｎ４の値「１」を通知する。ＣＰＲＩプロトコル部１０６Ｂは、対応するＣＰＲＩプロトコル部１０４Ｂに対しコントロールワードでＩｎｈｉｂｉｔ  ｏｆ  Ｔｒａｎｓｉｔｉｏｎ４の値「１」を通知する。
【００４５】
Ｉｎｈｉｂｉｔ  ｏｆ  Ｔｒａｎｓｉｔｉｏｎ４の値「０」は、既存技術のＴｒａｎｓｉｔｉｏｎ４の通知と同等であり、状態Ｄから状態Ｅへの状態遷移を許可する旨を示す。値「１」は、状態Ｄから状態Ｅへの状態遷移を抑制する旨を示す。
【００４６】
その後、切替制御部１０５（制御部１０７）は、状態Ｅに遷移させた後、運用系から予備系にレイヤ１で物理的にスイッチの切り替えを行う。その後、切替制御部１０５（制御部１０７）は、Ｉｎｈｉｂｉｔ  ｏｆ  Ｔｒａｎｓｉｔｉｏｎ４の値を「０」に戻して、切り替えた予備系（ＲＥＣ処理部１０２Ｂ）に通知する。
【００４７】
ＲＥＣ処理部１０２のＣＰＲＩプロトコル部１０４は、Ｉｎｈｉｂｉｔ  ｏｆ  Ｔｒａｎｓｉｔｉｏｎ４の値「０」が通知された場合、既存仕様通り、Ｃ＆Ｍチャネルのビットレート決定により状態Ｄから状態Ｅに遷移する。また、Ｌ１タイマを動作（カウント再開）させる。一方、新たに規定したＩｎｈｉｂｉｔ  ｏｆ  Ｔｒａｎｓｉｔｉｏｎ４の値「１」が通知された場合、ＣＰＲＩプロトコル部１０４は、状態Ｄを保持したままとする。また、Ｌ１タイマのカウントを停止（中断）させる。これにより、Ｌ１タイマのタイムアップによる状態Ｂへの遷移を抑制する。
【００４８】
図４は、実施の形態１にかかるＣＰＲＩのコントロールワードのフォーマット例を示す図表である。図４（ａ）は、一つのハイパーフレーム中のサブチャネルを示す。各マスがコントロールワード（Ｃｏｎｔｒｏｌ  Ｗｏｒｄ）であり、バイト数はビットレートにより異なる。例えば、２．４５７６Ｇｂｐｓは４バイト、４．９１５２Ｇｂｐｓは８バイトを用いる。
【００４９】
コントロールワード４００の各マスは、予め用途が規定されている。また、各マスのビット毎の意味も定義されている。例えば、Ｘｓ＝０，Ｎｓ＝０はハイパーフレーム同期（Ｈｙｐｅｒｆｒａｍｅ  Ｓｙｎｃｈｒｏｎｉｚａｔｉｏｎ）である。Ｘｓ＝１〜３，Ｎｓ＝０は同期タイミング（Ｓｙｎｃｈｒｏｎｉｚａｔｉｏｎ  ａｎｄ  ｔｉｍｉｎｇ）である。
【００５０】
Ｘｓ＝０〜３，Ｎｓ＝１は低速Ｃ＆Ｍリンク（Ｓｌｏｗ  Ｃ＆Ｍ  ｌｉｎｋ）である。Ｘｓ＝０〜３，Ｎｓ＝２はレイヤ１インバンドプロトコル（Ｌ１  ｉｎｂａｎｄ  ｐｒｏｔｏｃｏｌ）である。Ｘｓ＝０〜３，Ｎｓ＝４〜７はＣｔｒｌ  ＡｘＣ（Ａｎｔｅｎｎａ  ｓｙｓｔｅｍ  ｃｏｎｔａｉｎｅｒ）である。
【００５１】
Ｘｓ＝０〜３，Ｎｓ＝３，８〜１５はＲｅｓｅｒｖｅｄ（未使用領域）４０１である。Ｘｓ＝０〜３，Ｎｓ＝１６〜ＰｏｉｎｔｅｒＰの前列まではベンダースペシフィック領域（Ｖｅｎｄｏｒ  Ｓｐｅｃｉｆｉｃ）である。Ｘｓ＝０〜３，Ｎｓ＝ＰｏｉｎｔｅｒＰの列〜６３までは高速Ｃ＆Ｍリンク（Ｆａｓｔ  Ｃ＆Ｍ  ｌｉｎｋ）である。Ｘｓ＝０〜３，Ｎｓ＝Ｐｏｉｎｔｅｒ  Ｐ〜６３まではＣ＆Ｍ開始ポインタ（Ｐｏｉｎｔｅｒ  ｔｏ  ｓｔａｒｔ  ｏｆ  ｆａｓｔ  Ｃ＆Ｍ）である。
【００５２】
図４（ｂ）は、一つのハイパーフレーム中のコントロールワードとサブチャネルの配置を示す。１ハイパーフレームの先頭にＨｙｐｅｒｆｒａｍｅ  Ｓｙｎｃｈｒｏｎｉｚａｔｉｏｎが配置される。そして、Ｂａｓｉｃ  Ｆｒａｍｅ単位毎に、Ｓｙｎｃｈｒｏｎｉｚａｔｉｏｎ  ａｎｄ  ｔｉｍｉｎｇ以降、図４（ａ）のコントロールワードが順に配置される。
【００５３】
そして、実施の形態１では、Ｒｅｓｅｒｖｅｄ（未使用領域）４０１に、上記のＩｎｈｉｂｉｔ  ｏｆ  Ｔｒａｎｓｉｔｉｏｎ４のビット「０／１」（図４（ａ）の例では、Ｘ＝３（Ｘｓ＝０，Ｎｓ＝３）に割り当てる。
【００５４】
図５は、実施の形態１にかかるＣＰＲＩプロトコル部の動作処理例を示すフローチャートである。ＣＰＲＩプロトコル部１０４（１０４Ａ，１０４Ｂ）それぞれの動作例を示す。ＣＰＲＩプロトコル部１０４は、状態Ｄのとき、はじめに、Ｃ＆Ｍチャネルビットレート決定を判断する（ステップＳ５０１）。Ｃ＆Ｍチャネルビットレートが決定されていなければ待機し（ステップＳ５０１：Ｎｏのループ）、Ｃ＆Ｍチャネルビットレートが決定されれば（ステップＳ５０１：Ｙｅｓ）、ステップＳ５０２に移行する。
【００５５】
ステップＳ５０２では、ＣＰＲＩプロトコル部１０４は、Ｉｎｈｉｂｉｔ  ｏｆ  Ｔｒａｎｓｉｔｉｏｎ４の値「１」が通知されれば（ステップＳ５０２：Ｙｅｓ）、ステップＳ５０３に移行する。一方、Ｉｎｈｉｂｉｔ  ｏｆ  Ｔｒａｎｓｉｔｉｏｎ４の値「１」が通知されなければ（ステップＳ５０２：Ｎｏ）、ステップＳ５０５に移行する。
【００５６】
ステップＳ５０３では、ＣＰＲＩプロトコル部１０４は、Ｌ１タイマが動作中か判断する（ステップＳ５０３）。Ｌ１タイマが動作中でなければ（ステップＳ５０３：Ｎｏ）、ステップＳ５０２に戻る。一方、Ｌ１タイマが動作中であれば（ステップＳ５０３：Ｙｅｓ）、ＣＰＲＩプロトコル部１０４は、Ｌ１タイマの動作を停止（中断）させ（ステップＳ５０４）、ステップＳ５０２に戻る。
【００５７】
ステップＳ５０５では、ＣＰＲＩプロトコル部１０４は、Ｌ１タイマの動作を再開させ（ステップＳ５０５）、以上の処理を終了し、状態Ｅに遷移する。
【００５８】
図６は、実施の形態１にかかる無線通信システムの各部の動作を示すシーケンス図である。系の切り替えを行う際の基地局装置１００の各部の動作例を示す。以下の処理では、切替制御部１０５の制御により、ＲＥ１１１への接続を運用系のＲＥＣ処理部１０２Ａから予備系のＲＥＣ処理部１０２Ｂに系を切り替える例について説明する。
【００５９】
はじめに、切替制御部１０５（制御部１０７）は、各系のＣＰＲＩプロトコル部１０６Ａ，１０６Ｂに対し、いずれもＩｎｈｉｂｉｔ  ｏｆ  Ｔｒａｎｓｉｔｉｏｎ４（図中のＩｎｈｉｂｉｔ）を初期値「０」で通知する（ステップＳ６０１）。
【００６０】
次に、基地局制御部（ＰＦ）１３０が系の切り替えの制御信号（Ｓｅｔｕｐ）を一方のＲＥＣ処理部１０２に送信する。この際、基地局制御部（ＰＦ）１３０は、運用系のＲＥＣ処理部１０２ＡのＣＰＲＩプロトコル部１０４Ａに起動命令の制御信号（Ｓｅｔｕｐ）を送信する（ステップＳ６０２）。これにより、ＲＥＣ処理部１０２ＡのＣＰＲＩプロトコル部１０４Ａが通信を開始する。正常に対向先である切替制御部１０５のＣＰＲＩプロトコル部１０６Ａとの間で同期するとＣＰＲＩプロトコル部１０４Ａ，１０６Ａは、レイヤ１のＣＰＲＩプロトコル上で状態Ａから状態Ｃに遷移する。
【００６１】
次に、切替制御部１０５のＣＰＲＩプロトコル部１０６Ａは、運用系のＲＥＣ処理部１０２ＡのＣＰＲＩプロトコル部１０４Ａに対し、Ｉｎｈｉｂｉｔ  ｏｆ  Ｔｒａｎｓｉｔｉｏｎ４の値「０」をコントロールワードで送信する（ステップＳ６０３）。
【００６２】
そして、切替制御部１０５のＣＰＲＩプロトコル部１０６Ａと、運用系のＲＥＣ処理部１０２ＡのＣＰＲＩプロトコル部１０４Ａとの間でビットレートの整合が取れると、いずれもレイヤ１のＣＰＲＩプロトコル上で状態Ｃから状態Ｅに遷移する。
【００６３】
切替制御部１０５のＣＰＲＩプロトコル部１０６Ａは、制御部１０７に対し、状態Ｅに遷移したことを通知する。また、運用系のＲＥＣ処理部１０２ＡのＣＰＲＩプロトコル部１０４Ａは、上位プロトコル部１０３Ａに対し状態Ｅに遷移したことを通知する（ステップＳ６０４）。
【００６４】
運用系のＲＥＣ処理部１０２Ａでは、ＣＰＲＩプロトコル部１０３Ａが状態Ｅへ遷移したことに基づき、レイヤ２のＬＡＰＢプロトコル上でＳＡＢＭ（Ｓｅｔ  Ａｓｙｎｃｈｒｏｎｏｕｓ  Ｂａｌａｎｃｅｄ  Ｍｏｄｅ）コマンドを送出する（ステップＳ６０５）。これを受けてＲＥ１１１は確認のＵＡ（Ｕｎｎｕｍｂｅｒｅｄ  Ａｃｋｎｏｗｌｅｄｇｅｍｅｎｔ）レスポンスを返送する（ステップＳ６０６）。
【００６５】
これにより、運用系のＲＥＣ処理部１０２ＡとＲＥ１１１は、レイヤ１の上位レイヤ（例えばレイヤ２，３）のリンクを確立させ、上位プロトコル部１０３Ａ，１１３間で相互にデータ通信を行うことができる（ステップＳ６０７）。また、運用系のＲＥＣ処理部１０２Ａの上位プロトコル部１０３Ａは、基地局制御装置（ＰＦ）１３０に対して起動完了（Ｓｅｔｕｐ  ＯＫ）を返答する（ステップＳ６０８）。
【００６６】
この後、保守等の理由によりＲＥＣ処理部１０２の切り替えの必要が生じた場合、基地局制御部（ＰＦ）１３０は、他方のＲＥＣ処理部１０２に対して起動命令の制御信号（Ｓｅｔｕｐ）を出力する（ステップＳ６０９）。この起動命令は、予備系のＲＥＣ処理部１０２ＢのＣＰＲＩプロトコル部１０４Ｂに出力される。
【００６７】
そして、予備系のＲＥＣ処理部１０２ＢのＣＰＲＩプロトコル部１０４Ｂが通信を開始する。この後、正常に対向先である切替制御部１０５のＣＰＲＩプロトコル部１０６Ｂとの間で同期し、ビットレートの整合が取れたとする。これにより、ＣＰＲＩプロトコル部１０４Ｂ，１０６Ｂは、レイヤ１のＣＰＲＩプロトコル上で状態Ａから状態Ｃに遷移する。
【００６８】
切替制御部１０５は、運用系のＣＰＲＩプロトコル部１０６Ａが状態Ｅに遷移したことに基づき、予備系のＣＰＲＩプロトコル部１０６Ｂに対して、Ｉｎｈｉｂｉｔを値「１」で通知する（ステップＳ６１０）。切替制御部１０５のＣＰＲＩプロトコル部１０６Ｂは、予備系のＲＥＣ処理部１０２ＢのＣＰＲＩプロトコル部１０４Ｂに対し、Ｉｎｈｉｂｉｔ  ｏｆ  Ｔｒａｎｓｉｔｉｏｎ４の値「１」をコントロールワードで送信する（ステップＳ６１１）。
【００６９】
そして、切替制御部１０５のＣＰＲＩプロトコル部１０６Ｂは、レイヤ１のＣＰＲＩプロトコル上で状態Ｃから状態Ｅに遷移し、ＣＰＲＩプロトコル部１０６Ｂは、制御部１０７に対し、状態Ｅに遷移したことを通知する（ステップＳ６１２）。
【００７０】
ここで、予備系のＲＥＣ処理部１０２ＢのＣＰＲＩプロトコル部１０４Ｂは、Ｉｎｈｉｂｉｔ  ｏｆ  Ｔｒａｎｓｉｔｉｏｎ４の値が「１」、すなわち、Ｉｎｈｉｂｉｔが通知されているため、状態Ｄに留まり遷移が抑制されている。また、Ｌ１タイマを停止させるため、タイムアウトによる状態Ｂへの遷移は発生しない（ステップＳ６１３）。
【００７１】
ＣＰＲＩプロトコル部１０４Ｂが状態Ｄに留まっている間、このＣＰＲＩプロトコル部１０４Ｂを介して通信する（対向する）上位レイヤプロトコル部１０３Ｂ，１１３間では、上記レイヤ（例えばレイヤ２，３）によるコマンド送信が待機状態となる。切替制御部１０５の制御部１０７は、ＣＰＲＩプロトコル部１０４Ｂが状態Ｄに留まっている間に内部の物理的スイッチを運用系から予備系に切り替える。
【００７２】
すなわち、ＲＥ１１１に対する接続を、運用系のＲＥＣ処理部１０２Ａから予備系のＲＥＣ処理部１０２Ｂに切り替える（ステップＳ６１４）。切替制御部１０５の制御部１０７は、ＲＥ１１１に接続していたＣＰＲＩプロトコル部１０６ＡをＣＰＲＩプロトコル部１０６Ｂに切り替える。
【００７３】
切替制御部１０５の制御部１０７は、切り替え後の新たな運用系（旧予備系）のＣＰＲＩプロトコル部１０６Ｂに対して、Ｉｎｈｉｂｉｔとして値「０」を通知する（ステップＳ６１５）。ＣＰＲＩプロトコル部１０６Ｂは、切り替え後の新たな運用系（旧予備系）のＲＥＣ処理部１０２ＢのＣＰＲＩプロトコル部１０４Ｂに対し、Ｉｎｈｉｂｉｔの値「０」をコントロールワードで送信する（ステップＳ６１６）。これにより、ＲＥＣ処理部１０２ＢのＣＰＲＩプロトコル部１０４Ｂは状態Ｅに遷移し、ＣＰＲＩプロトコル部１０４Ｂは、上位プロトコル部１０３Ｂに対し、状態Ｅに遷移したことを通知する（ステップＳ６１７）。
【００７４】
この後、新たな運用系のＲＥＣ処理部１０２Ｂでは、ＣＰＲＩプロトコル部１０４Ｂが状態Ｅへ遷移したことにより、ＲＥ１１１の上位プロトコル部１１３にレイヤ２のＳＡＢＭコマンドを送出する（ステップＳ６１８）。これを受けてＲＥ１１１がＵＡレスポンスを返送する（ステップＳ６１９）。
【００７５】
これにより、新たに運用系となったＲＥＣ処理部１０２ＢとＲＥ１１１は、上位レイヤのリンクが確立し、互いの上位プロトコル部１０３Ｂ，１１３間で相互にデータ通信を行うことができる（ステップＳ６２０）。また、運用系となったＲＥＣ処理部１０２Ｂの上位プロトコル部１０３Ｂは、基地局制御装置（ＰＦ）１３０に対して起動完了（Ｓｅｔｕｐ  ＯＫ）を返答する（ステップＳ６２１）。
【００７６】
図７は、実施の形態１にかかる切替制御部の動作処理例を示すフローチャートである。切替制御部１０５の制御部１０７が実行する系の切り替え時の動作処理例を示す。
【００７７】
系の切り替え開始時、切替制御部１０５は、予備系のＣＰＲＩプロトコル部１０６ＢにＩｎｈｉｂｉｔ  ｏｆ  Ｔｒａｎｓｉｔｉｏｎ４の値「１」の送信を設定する（ステップＳ７０１、図６のステップＳ６１０に対応）。これにより、予備系のＣＰＲＩプロトコル部１０６Ｂは、対応する予備系のＲＥＣ処理部１０２ＢのＣＰＲＩプロトコル部１０４Ｂに対し、コントロールワードでＩｎｈｉｂｉｔ  ｏｆ  Ｔｒａｎｓｉｔｉｏｎ４の値「１」を通知する。
【００７８】
次に、切替制御部１０５は、切替制御部１０５内の予備系のＣＰＲＩプロトコル部１０６Ｂの状態のモニタを開始する（ステップＳ７０２）。そして、予備系のＣＰＲＩプロトコル部１０６Ｂの状態が状態Ｅに遷移することを待つ（ステップＳ７０３：Ｎｏのループ）。
【００７９】
予備系のＣＰＲＩプロトコル部１０６Ｂが状態Ｅに遷移すれば（ステップＳ７０３：Ｙｅｓ）、切替制御部１０５は、スイッチの接続を運用系のＲＥＣ処理部１０２Ａから予備系のＲＥＣ処理部１０２Ｂに切り替える（ステップＳ７０４）。図６のステップＳ６１４に対応する。
【００８０】
この後、切替制御部１０５は、予備系のＣＰＲＩプロトコル部１０６ＢにＩｎｈｉｂｉｔ  ｏｆ  Ｔｒａｎｓｉｔｉｏｎ４の値「０」の送信を設定する（ステップＳ７０５、図６のステップＳ６１５に対応）。これにより、予備系のＣＰＲＩプロトコル部１０６Ｂは、対応する予備系のＲＥＣ処理部１０２ＢのＣＰＲＩプロトコル部１０４Ｂに対し、コントロールワードでＩｎｈｉｂｉｔ  ｏｆ  Ｔｒａｎｓｉｔｉｏｎ４の値「０」を通知し、以上の切り替え制御を終了する。
【００８１】
実施の形態１によれば、切替制御部１０５は、系の切り替え時にＩｎｈｉｂｉｔの値「１」を通知し、予備系のＣＰＲＩプロトコル部１０４Ｂに対しレイヤ１（ＣＰＲＩプロトコル）上で状態Ｄを保持したままとし、状態Ｅへの遷移を一時的に停止させる。なお、この際、Ｌ１タイマのカウントを停止（中断）させて状態Ｂへの遷移を抑制する。
【００８２】
そして、切替制御部１０５は、運用系のＣＰＲＩプロトコル部１０４Ａが状態Ｅであり、予備系のＣＰＲＩプロトコル部１０４Ｂが状態Ｄのままの遷移状態の間、物理的なスイッチを予備系から運用系に切り替える。物理的なスイッチによる系の切り替え後、切替制御部１０５は、予備系のＣＰＲＩプロトコル部１０４ＢにＩｎｈｉｂｉｔの値「０」を通知して状態Ｅに遷移させる。このように、物理的なスイッチの切り替え後に、予備系のレイヤ１（ＣＰＲＩプロトコル部１０４Ｂ）を状態Ｅに遷移させる。
【００８３】
そして、新たに運用系となったＲＥＣ処理部１０２Ｂの上位プロトコル部１０３Ｂは、下位レイヤ（レイヤ１）が状態Ｅに遷移したことを受けて、上位レイヤの通信（ＳＡＢＭコマンド等）を送信する。この送信は、物理的な切り替えが完了した後である。上位レイヤのコマンド（ＳＡＢＭ送信、ＵＡ返送等）の送受信を、実際に送受信できる接続状態となるまで待機させることで、返答無しに基づくタイムアウトおよびデータ再送の発生等を防止できる。また、上位プロトコルを無視して最下層のレイヤ１で物理的に系の切り替えを行うことによるリンク断を防ぐことができる。
【００８４】
（実施の形態２）
この実施の形態２では、上位レイヤとして例えば、レイヤ２およびレイヤ３（Ｌ３，ネットワーク層）までのプロトコルを考慮し、レイヤ３での通信状態をモニタして系の切り替えを行うことで、実際のデータ送信に適したタイミングで系の切り替えを行う。実施の形態２では、切替制御部１０５（制御部１０７）は、予備系の状態遷移を状態Ｄで留める（状態遷移を抑制する）。そして、Ｌ３のメッセージをモニタし、モニタ結果に基づき、通信が円滑に行える適切なタイミングで上位レイヤのリンク接続を運用系から予備系に切り替える。
【００８５】
図８は、実施の形態２にかかる無線通信システムの各部の動作を示すシーケンス図である。系の切り替えを行う際の基地局装置１００の各部の動作例を示す。
【００８６】
図１に示した上位プロトコル部１０３（１０３Ａ，１０３Ｂ），１１３は、上位レイヤのプロトコルとしてレイヤ２およびレイヤ３プロトコルを含む。レイヤ２プロトコルは、例えば、ＬＡＰＢプロトコルを含み、レイヤ３プロトコルは、例えばＲＲＣプロトコルを含む。
【００８７】
はじめに、切替制御部１０５（制御部１０７）は、各系のＣＰＲＩプロトコル部１０６Ａ，１０６Ｂに対し、いずれもＩｎｈｉｂｉｔ  ｏｆ  Ｔｒａｎｓｉｔｉｏｎ４（図中のＩｎｈｉｂｉｔ）を初期値「０」で通知する（ステップＳ８０１）。
【００８８】
次に、基地局制御部（ＰＦ）１３０が系の切り替えの制御信号（Ｓｅｔｕｐ）を一方のＲＥＣ処理部１０２に送信する。この際、基地局制御部（ＰＦ）１３０は、運用系のＲＥＣ処理部１０２ＡのＣＰＲＩプロトコル部１０４Ａに起動命令の制御信号（Ｓｅｔｕｐ）を送信する（ステップＳ８０２）。これにより、ＲＥＣ処理部１０２ＡのＣＰＲＩプロトコル部１０４Ａが通信を開始する。正常に対向先である切替制御部１０５のＣＰＲＩプロトコル部１０６Ａとの間で同期するとＣＰＲＩプロトコル部１０４Ａ，１０６Ａは、レイヤ１のＣＰＲＩプロトコル上で状態Ａから状態Ｃに遷移する。
【００８９】
次に、切替制御部１０５のＣＰＲＩプロトコル部１０６Ａは、運用系のＲＥＣ処理部１０２ＡのＣＰＲＩプロトコル部１０４Ａに対し、Ｉｎｈｉｂｉｔ  ｏｆ  Ｔｒａｎｓｉｔｉｏｎ４の値「０」をコントロールワードで送信する（ステップＳ８０３）。
【００９０】
そして、切替制御部１０５のＣＰＲＩプロトコル部１０６Ａと、運用系のＲＥＣ処理部１０２ＡのＣＰＲＩプロトコル部１０４Ａとの間でビットレートの整合が取れると、いずれもレイヤ１のＣＰＲＩプロトコル上で状態Ｃから状態Ｅに遷移する。
【００９１】
切替制御部１０５のＣＰＲＩプロトコル部１０６Ａは、制御部１０７に対し、状態Ｅに遷移したことを通知する。また、運用系のＲＥＣ処理部１０２ＡのＣＰＲＩプロトコル部１０４Ａは、上位プロトコル部１０３Ａに対し状態Ｅに遷移したことを通知する（ステップＳ８０４）。
【００９２】
運用系のＲＥＣ処理部１０２Ａでは、ＣＰＲＩプロトコル部１０４Ａが状態Ｅへ遷移したことに基づき、レイヤ２のＬＡＰＢプロトコル上でＳＡＢＭ（Ｓｅｔ  Ａｓｙｎｃｈｒｏｎｏｕｓ  Ｂａｌａｎｃｅｄ  Ｍｏｄｅ）コマンドを送出する（ステップＳ８０５）。これを受けてＲＥ１１１は、確認のＵＡ（Ｕｎｎｕｍｂｅｒｅｄ  Ａｃｋｎｏｗｌｅｄｇｅｍｅｎｔ）レスポンスを返送する（ステップＳ８０６）。
【００９３】
これにより、運用系のＲＥＣ処理部１０２ＡとＲＥ１１１は、レイヤ１の上位レイヤ（例えばレイヤ２，３）のリンクを確立させ、上位プロトコル部１０３Ａ，１１３間で相互にレイヤ３でのデータ通信を行うことができる（ステップＳ８０７）。また、運用系のＲＥＣ処理部１０２Ａの上位プロトコル部１０３Ａは、基地局制御装置（ＰＦ）１３０に対して起動完了（Ｓｅｔｕｐ  ＯＫ）を返答する（ステップＳ８０８）。
【００９４】
この後、保守等の理由によりＲＥＣ処理部１０２の切り替えの必要が生じた場合、基地局制御部（ＰＦ）１３０は、他方のＲＥＣ処理部１０２に対して起動命令の制御信号（Ｓｅｔｕｐ）を出力する（ステップＳ８０９）。この起動命令は、予備系のＲＥＣ処理部１０２ＢのＣＰＲＩプロトコル部１０４Ｂに出力される。
【００９５】
そして、予備系のＲＥＣ処理部１０２ＢのＣＰＲＩプロトコル部１０４Ｂが通信を開始する。この後、正常に対向先である切替制御部１０５のＣＰＲＩプロトコル部１０６Ｂとの間で同期し、ビットレートの整合が取れたとする。これにより、ＣＰＲＩプロトコル部１０４Ｂ，１０６Ｂは、レイヤ１のＣＰＲＩプロトコル上で状態Ａから状態Ｃに遷移する。
【００９６】
切替制御部１０５では、運用系のＣＰＲＩプロトコル部１０６Ａが状態Ｅに遷移したことに基づき、予備系のＣＰＲＩプロトコル部１０６Ｂに対して、Ｉｎｈｉｂｉｔを値「１」で通知する（ステップＳ８１０）。切替制御部１０５のＣＰＲＩプロトコル部１０６Ｂは、予備系のＲＥＣ処理部１０２ＢのＣＰＲＩプロトコル部１０４Ｂに対し、Ｉｎｈｉｂｉｔ  ｏｆ  Ｔｒａｎｓｉｔｉｏｎ４の値「１」をコントロールワードで送信する（ステップＳ８１１）。
【００９７】
そして、切替制御部１０５のＣＰＲＩプロトコル部１０６Ｂは、レイヤ１のＣＰＲＩプロトコル上で状態Ｃから状態Ｅに遷移し、ＣＰＲＩプロトコル部１０６Ｂは、制御部１０７に対し、状態Ｅに遷移したことを通知する（ステップＳ８１２）。
【００９８】
ここで、予備系のＲＥＣ処理部１０２ＢのＣＰＲＩプロトコル部１０４Ｂは、Ｉｎｈｉｂｉｔ  ｏｆ  Ｔｒａｎｓｉｔｉｏｎ４の値が「１」、すなわち、Ｉｎｈｉｂｉｔが通知されているため、状態Ｄに留まる。また、Ｌ１タイマを停止させるため、タイムアウトによる状態Ｂへの遷移は発生しない（ステップＳ８１３）。
【００９９】
ＣＰＲＩプロトコル部１０４Ｂが状態Ｄに留まっている間、対向する上位レイヤプロトコル部１０３Ｂ，１１３間では、上記レイヤ（例えばレイヤ２，３）によるコマンド送信が待機状態となる。切替制御部１０５の制御部１０７は、ＣＰＲＩプロトコル部１０４Ｂが状態Ｄに留まっている間に内部の物理的スイッチを運用系から予備系に切り替えるタイミングを判断する。
【０１００】
このため、切替制御部１０５の制御部１０７は、レイヤ３（Ｌ３）メッセージのモニタを開始する（ステップＳ８１４）。Ｌ３プロトコルを無視して系の切り替えを行うとリンク断となり、復旧に時間を要するためである。
【０１０１】
系を切り替えるタイミングは、例えば、ＲＥＣ処理部１０２Ａの上位プロトコル部１０３Ａが送信するヘルスチェック要求に対し、ＲＥ１１１の上位プロトコル部１１３がヘルスチェック応答を返した後、次のヘルスチェック要求が送信されるまでの期間内に行う。
【０１０２】
そして、切替制御部１０５の制御部１０７は、スイッチの物理的な接続を、それまでの運用系から、予備系に切り替える。すなわち、ＲＥ１１１に対する接続を、運用系のＲＥＣ処理部１０２Ａから予備系のＲＥＣ処理部１０２Ｂに切り替える（ステップＳ８１５）。切替制御部１０５の制御部１０７は、ＲＥ１１１に接続していたＣＰＲＩプロトコル部１０６ＡをＣＰＲＩプロトコル部１０６Ｂに切り替える。
【０１０３】
切替制御部１０５の制御部１０７は、切り替え後の新たな運用系（旧予備系）のＣＰＲＩプロトコル部１０６Ｂに対して、Ｉｎｈｉｂｉｔとして値「０」を通知する（ステップＳ８１６）。ＣＰＲＩプロトコル部１０６Ｂは、切り替え後の新たな運用系（旧予備系）のＲＥＣ処理部１０２ＢのＣＰＲＩプロトコル部１０４Ｂに対し、Ｉｎｈｉｂｉｔの値「０」をコントロールワードで送信する（ステップＳ８１７）。これにより、ＲＥＣ処理部１０２ＢのＣＰＲＩプロトコル部１０４Ｂは状態Ｅに遷移し、ＣＰＲＩプロトコル部１０４Ｂは、上位プロトコル部１０３Ｂに対し、状態Ｅに遷移したことを通知する（ステップＳ８１８）。
【０１０４】
この後、新たな運用系のＲＥＣ処理部１０２Ｂでは、ＣＰＲＩプロトコル部１０４Ｂが状態Ｅへ遷移したことにより、ＲＥ１１１の上位プロトコル部１１３にＳＡＢＭコマンドを送出する（ステップＳ８１９）。これを受けてＲＥ１１１がＵＡレスポンスを返送する（ステップＳ８２０）。
【０１０５】
これにより、新たに運用系となったＲＥＣ処理部１０２ＢとＲＥ１１１は、上位レイヤ（例えばレイヤ２，３）のリンクが確立し、互いの上位プロトコル部１０３Ｂ，１１３間で相互にレイヤ３でのデータ通信を行うことができる（ステップＳ８２１）。また、運用系となったＲＥＣ処理部１０２Ｂの上位プロトコル部１０３Ｂは、基地局制御装置（ＰＦ）１３０に対して起動完了（Ｓｅｔｕｐ  ＯＫ）を返答する（ステップＳ８２２）。
【０１０６】
図９は、実施の形態２にかかる切替制御部の動作処理例を示すフローチャートである。切替制御部１０５の制御部１０７が実行する系の切り替え時の動作処理例を示す。
【０１０７】
系の切り替え開始時、切替制御部１０５は、予備系のＣＰＲＩプロトコル部１０６ＢにＩｎｈｉｂｉｔ  ｏｆ  Ｔｒａｎｓｉｔｉｏｎ４の値「１」の送信を設定する（ステップＳ９０１、図８のステップＳ８１０に対応）。これにより、予備系のＣＰＲＩプロトコル部１０６Ｂは、対応する予備系のＲＥＣ処理部１０２ＢのＣＰＲＩプロトコル部１０４Ｂに対し、コントロールワードでＩｎｈｉｂｉｔ  ｏｆ  Ｔｒａｎｓｉｔｉｏｎ４の値「１」を通知する。
【０１０８】
次に、切替制御部１０５は、切替制御部１０５内の予備系のＣＰＲＩプロトコル部１０６Ｂの状態のモニタを開始する（ステップＳ９０２）。そして、予備系のＣＰＲＩプロトコル部１０６Ｂの状態Ｅへの遷移を待つ（ステップＳ９０３：Ｎｏのループ）。
【０１０９】
予備系のＣＰＲＩプロトコル部１０６Ｂが状態Ｅに遷移すれば（ステップＳ９０３：Ｙｅｓ）、切替制御部１０５は、上位レイヤ、例えばレイヤ３（Ｌ３）のメッセージのモニタを開始する（ステップＳ９０４、図８のステップＳ８１４に対応）。そして、切替制御部１０５は、ＲＥ１１１からＬ３メッセージのうち、ヘルスチェック応答の送信を待つ（ステップＳ９０５：Ｎｏのループ）。
【０１１０】
ヘルスチェック応答があれば（ステップＳ９０５：Ｙｅｓ）、切替制御部１０５は、ヘルスチェック応答のタイミングでスイッチの接続を運用系のＲＥＣ処理部１０２Ａから予備系のＲＥＣ処理部１０２Ｂに切り替える（ステップＳ９０６）。図８のステップＳ８１５に対応する。
【０１１１】
この後、切替制御部１０５は、予備系のＣＰＲＩプロトコル部１０６ＢにＩｎｈｉｂｉｔ  ｏｆ  Ｔｒａｎｓｉｔｉｏｎ４の値「０」の送信を設定する（ステップＳ９０７、図８のステップＳ８１６に対応）。これにより、予備系のＣＰＲＩプロトコル部１０６Ｂは、対応する予備系のＲＥＣ処理部１０２ＢのＣＰＲＩプロトコル部１０４Ｂに対し、コントロールワードでＩｎｈｉｂｉｔ  ｏｆ  Ｔｒａｎｓｉｔｉｏｎ４の値「０」を通知し、以上の切り替え制御を終了する。
【０１１２】
実施の形態２によれば、実施の形態１同様の作用効果を有する。切替制御部１０５は、運用系のＣＰＲＩプロトコル部１０４Ａが状態Ｅであり、予備系のＣＰＲＩプロトコル部１０４Ｂが状態Ｄのままの遷移状態の間、物理的なスイッチを予備系から運用系に切り替える。
【０１１３】
そして、実施の形態２では、上位レイヤのメッセージをモニタすることで、系の切り替えを行う。例えば、レイヤ３メッセージにおけるヘルスチェック要求および応答をモニタすることで、ヘルスチェック応答が送信された後に系を切り替える。これにより、レイヤ３でのデータ送信が正常に行える状態で系を切り替えることができるようになり、より適切なタイミングで系を切り替えることができる。
【０１１４】
したがって、上位レイヤのコマンドの送受信を、実際に送受信できる接続状態で実行でき、返答無しに基づくタイムアウトや再送の発生等を防止できる。また、上位プロトコルを無視して最下層のレイヤ１で物理的に系の切り替えを行うことによるリンク断を防ぐことができる。
【０１１５】
（実施の形態３）
図１０は、実施の形態３にかかる無線通信システムの構成例を示す図である。図１に示したうち、切り替え制御の主要な構成部のみを抽出して記載してある。上述した実施の形態では、切替制御部１０５をＲＥＣ１０１側に設けたが、図１０に示すように切替制御部１０５は、ＲＥ１１１側に設けてもよい。
【０１１６】
本発明における系の切り替えの制御は、レイヤ１（例えばＣＰＲＩプロトコル）と上位レイヤ（例えばレイヤ２のＬＡＰＢプロトコル）に則り行う。このため、ＲＥＣ１０１とＲＥ１１１とを接続する光ケーブル等の伝送路１２１を用いて切り替え制御でき、切り替え制御に専用の制御線等を必要としない。
【０１１７】
図１０の構成例では、ＲＥＣ１０１側に運用系のＲＥＣ処理部１０２Ａと、予備系のＲＥＣ処理部１０２Ｂを配置し、ＲＥ１１１側に切替制御部１０５と、上位プロトコル部１１３とを配置する。運用系のＣＰＲＩプロトコル部１０４Ａ，１０６Ａ間は、光ファイバ等の伝送路１２１ａで接続し、予備系ＣＰＲＩプロトコル部１０４Ｂ，１０６Ｂ間は、光ファイバ等の伝送路１２１ｂで接続する。
【０１１８】
上記構成においても、実施の形態１，２同様に切替制御部１０５により運用系と予備系切り替えを適切なタイミングで行うことができ、実施の形態１，２同様の作用効果を得ることができる。
【０１１９】
（既存技術による系の切り替え制御）
図１１は、既存技術による切り替え制御を説明するための図である。次に、既存技術による系の切り替え制御について説明する。基地局装置１１００のＲＥＣ１１０１は、運用系と予備系の２系統のＲＥＣ処理部１１０２（１１０２Ａ，１１０２Ｂ）を有し、スイッチ１１０５により系を切り替える。スイッチ１１０５の切り替えにより、ＣＰＲＩプロトコル部１１０４Ａ，１１０４Ｂのいずれか一方が、伝送路１１２１を介してＲＥ１１１１のＣＰＲＩプロトコル部１１１２に接続される。
【０１２０】
図１２は、既存技術による切り替え制御内容を示すフローチャートである。はじめに、例えば、図示しない基地局制御部（ＰＦ）は、運用系のＲＥＣ処理部１１０２Ａに伝送路（リンク）のクローズ（Ｃｌｏｓｅ）を指示する（ステップＳ１２０１）。そして、伝送路のクローズの完了を待つ（ステップＳ１２０２：Ｎｏのループ）。この後、基地局制御部は、伝送路がクローズ完了すると（ステップＳ１２０２：Ｙｅｓ）、スイッチ１１０５の接続を運用系のＲＥＣ処理部１１０２Ａから予備系のＲＥＣ処理部１１０２Ｂに切り替える（ステップＳ１２０３）。
【０１２１】
この後、基地局制御部は、予備系のＲＥＣ処理部１１０２Ｂに伝送路（リンク）の起動（Ｓｅｔｕｐ）を指示する（ステップＳ１２０４）。そして、伝送路のＳｅｔｕｐの完了を待ち（ステップＳ１２０５：Ｎｏのループ）、Ｓｅｔｕｐが完了すれば（ステップＳ１２０５：Ｙｅｓ）、切り替え制御を終了する。
【０１２２】
図１３は、既存技術による切り替え制御を示すシーケンス図である。系の切り替え時の制御を説明すると、基地局制御部（ＰＦ）１３００は、Ｌ２プロトコル部１１０３Ａにリンクのクローズを指示する（ステップＳ１３０１）。Ｌ２プロトコル部１１０３Ａは、スイッチ１１０５を介してＲＥ１１１１のＬ２プロトコル部１１１３に切断のコマンドＤＩＳＣ（ＤＩＳＣｏｎｎｅｃｔ）を送信する（ステップＳ１３０２）。ＲＥ１１１１のＬ２プロトコル部１１１３は、レイヤ２のリンク切断後、切断応答のコマンドＤＭ（Ｄｉｓｃｏｎｎｅｃｔｅｄ  Ｍｏｄｅ  ｒｅｓｐｏｎｓｅ）をＬ２プロトコル部１１０３Ａに送信する（ステップＳ１３０３）。Ｌ２プロトコル部１１０３Ａは、基地局制御部（ＰＦ）１３００にクローズ完了（Ｃｌｏｓｅ  ＯＫ）を通知する（ステップＳ１３０４）。
【０１２３】
これにより、基地局制御部（ＰＦ）１３００は、スイッチ１１０５に対し切り替えの制御指令（Ｓｗｉｔｃｈ）を出力し（ステップＳ１３０５）、スイッチ１１０５が運用系から予備系に系を切り替える（ステップＳ１３０６）。
【０１２４】
この後、基地局制御部１３００は、切り替えにより新たに運用系となった（旧予備系の）ＲＥＣ処理部１１０２ＢのＣＰＲＩプロトコル部１１０４Ｂに対し起動（Ｓｅｔｕｐ）を送信する（ステップＳ１３０７）。ＣＰＲＩプロトコル部１１０４Ｂは、状態が状態Ａから状態Ｃに遷移し、ＲＥ１１１１のＣＰＲＩプロトコル部１１１２との間でコントロールワードを送受信する（ステップＳ１３０８）。これにより、新たに運用系となったＣＰＲＩプロトコル部１１０４Ｂ，１１１２は、いずれも状態が状態Ｃから状態Ｅに遷移し、状態Ｅに遷移したことをそれぞれＬ２プロトコル部１１０３Ｂ，１１１３に通知する（ステップＳ１３０９）。
【０１２５】
ＲＥＣ処理部１１０２Ｂは、ＣＰＲＩプロトコル部１１０４Ｂ，１１１２が状態Ｅへ遷移したことに基づき、レイヤ２のＬＡＰＢプロトコル上でＳＡＢＭコマンドを送出する（ステップＳ１３１０）。
【０１２６】
ここで、ＲＥのＬ２プロトコル部１１１３は、ＳＡＢＭコマンドを受信できれば、確認のＵＡレスポンスを返送し（ステップＳ１３１１）、Ｌ２プロトコルで相互にデータ通信を行うことができる。
【０１２７】
しかしながら、既存技術では、系の切り替えを行う際に、いったん運用系のＲＥＣ処理部１１０２Ａのリンク接続を切った後に、予備系のＲＥＣ処理部１１０２Ｂのリンク接続を行う。このため、無線データ（Ｉ／Ｑデータ）が切断し、ユーザ端末への電波送信が途切れた。また、ＲＥ１１１１とＲＥＣ１１０１との間の接続が、初期段階（レイヤ１〜レイヤ３の順）から順次実施して装置を立ち上げるため、再度通信可能な状態に回復するまでに時間がかかった。その結果、定められた平均復旧時間（ＭＴＴＲ：Ｍｅａｎ  Ｔｉｍｅ  Ｔｏ  Ｒｅｐａｉｒ）の時間を超える可能性があった。
【０１２８】
図１３に示した系の切り替え（ステップＳ１３０６）では、基地局装置１１００と端末との間のデータの送受信状態および上位レイヤのプロトコルを無視して切断するため、通信中の情報が強制的に途切れ、再送が発生する。これにより、コアネットワークのトラフィックの増大を招いた。特に、基地局装置１１００に対する端末の接続数が多い地域では、再送発生による多量のトラフィックが突発的に発生してしまう。
【０１２９】
上記問題を解決するために、運用系のリンク接続を維持したまま、予備系のリンク接続を開始し、所定の時期に予備系を新たに運用系に切り替えた後、運用系のリンク接続を切ることが考えられる。この場合、２系統のＲＥＣ処理部１１０２Ａ，１１０２Ｂに対向してＣＰＲＩプロトコル部も２系統を設ければよい。この配置自体は、実施の形態１（図１）で説明したＣＰＲＩプロトコル部１０６Ａ，１０６Ｂと同様である。
【０１３０】
しかしながら、単に、２系統のＲＥＣ処理部１１０２Ａ，１１０２Ｂに対向してＣＰＲＩプロトコル部も２系統を設けただけでは以下のような問題を解決できない。予備系のリンク接続において、予備系のＲＥＣ処理部１１０２ＢのＣＰＲＩプロトコル部１１０４Ｂが状態Ｅに達すると、ＲＥＣ処理部１１０２Ｂはレイヤ２（ＬＡＰＢ）リンクの設定のためコマンド（ＳＡＢＭ）を送信する。ここで、既存技術では、レイヤ１（ＣＰＲＩプロトコル）において、ビットレートのネゴシエーション完了でＴｒａｎｓｉｔｉｏｎ４を予備系のＲＥＣ処理部１１０２Ｂに通知し、予備系のＣＰＲＩプロトコル部１１０４Ｂが状態Ｅに遷移する。
【０１３１】
但し、この時点では予備系のＲＥＣ処理部１１０２Ｂは、レイヤ１においてＲＥ１１１１と接続されていないため、レイヤ２のコマンド（ＳＡＢＭ）はＲＥ１１１１に達することができない。そして、予備系のＲＥＣ処理部１１０２Ｂは、ＲＥ１１１１側からレスポンス（ＵＡ）を受信することはできない。この状態が継続しＬ２用の安定化タイマで規定された時間を超えると、予備系のＲＥＣ処理部１１０２Ｂは、Ｌ２リンク断（異常）と判断し、復旧までに時間を要してしまう。
【０１３２】
これに対し、各実施の形態では、レイヤ１のＣＰＲＩプロトコルの状態遷移について、状態Ｄから状態Ｅへの遷移時、ビットレートのネゴシエーション完了で通知するＴｒａｎｓｉｔｉｏｎ４に抑制（Ｉｎｈｉｂｉｔ）の規定を新たに設定している。そして、切替制御部は、系の切り替え時に予備系側でレイヤ１のＣＰＲＩプロトコル上では状態Ｄに留めた（状態遷移を抑制した）状態で、系の切り替えを行う。そして、レイヤ１での物理的なスイッチによる系の切り替え後、切替制御部は、予備系のＣＰＲＩプロトコル部にＴｒａｎｓｉｔｉｏｎ４の抑制（Ｉｎｈｉｂｉｔ）を解除通知して状態Ｅに遷移させる。したがって、物理的なスイッチ切り替え後に、予備系のレイヤ１（ＣＰＲＩプロトコル部）を状態Ｅに遷移させている。
【０１３３】
これにより、上位レイヤのコマンド（ＳＡＢＭ送信、ＵＡ返送等）の送受信を、実際に送受信できる接続状態で実行でき、リンク接続無しに基づく返答無しでのタイムアウト発生およびデータ再送の発生等を防止できる。また、上位プロトコルを無視して最下層のレイヤ１で物理的に系の切り替えを行うことによるリンク断を防ぐことができる。
【０１３４】
また、実施の形態では、ＣＰＲＩプロトコル上で用いるＴｒａｎｓｉｔｉｏｎ４の抑制（Ｉｎｈｉｂｉｔ）および解除の情報をビット０／１を用いて規定したため、少ないデータ量で予備系のＣＰＲＩプロトコル部に状態遷移の抑制および解除を通知できる。また、ＣＰＲＩプロトコル部間で用いるコントロールワードにＴｒａｎｓｉｔｉｏｎ４の抑制（Ｉｎｈｉｂｉｔ）および解除の情報を含ませている。これにより、特別なインタフェースを必要とせず、既存のＣＰＲＩインタフェース上でコントロールワードの余剰ビットを用いて簡単に状態遷移の抑制および解除を通知できる。
【０１３５】
上述した実施の形態に関し、さらに以下の付記を開示する。
【０１３６】
（付記１）伝送路を介して無線装置と接続される無線制御装置において、
複数の系統の信号処理部と、
複数の前記系統の前記信号処理部のいずれかを前記無線装置の信号処理部に切り替え接続する切替制御部と、を有し、
前記信号処理部は、複数の異なるレイヤのプロトコルにしたがった通信制御を行い、
前記切替制御部は、前記系統の切り替え時には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする無線制御装置。
【０１３７】
（付記２）前記切替制御部は、前記系統の切り替え時には、対向する前記信号処理部同士が前記レイヤ１でビットレート整合が取れた状態であっても、状態遷移を抑制する、
ことを特徴とする付記１に記載の無線制御装置。
【０１３８】
（付記３）前記切替制御部は、前記系統の切り替え時には、切り替え先の前記信号処理部に対し、前記レイヤ１で用いる制御情報の一部の領域を用いて前記レイヤ１の状態遷移を抑制するコマンドを送信する、
ことを特徴とする付記１または２に記載の無線制御装置。
【０１３９】
（付記４）前記切替制御部は、前記コマンドの一部のビットを用い、状態遷移の許可あるいは抑制を通知する、
ことを特徴とする付記３に記載の無線制御装置。
【０１４０】
（付記５）前記切替制御部は、前記状態遷移の抑制時には、前記レイヤ１のプロトコル上におけるタイムアップ用のタイマのカウントを中断し、他の状態への遷移を抑制し、
前記系統の切り替え後に、前記タイマのカウントを再開させ、前記レイヤ１の状態遷移を許可する、
ことを特徴とする付記１〜４のいずれか一つに記載の無線制御装置。
【０１４１】
（付記６）前記切替制御部は、前記状態遷移の抑制の期間中、対向する前記信号処理部同士間で前記上位レイヤの通信状態をモニタし、当該通信状態に基づき、前記物理的スイッチを切り替えて前記系統を切り替える、
ことを特徴とする付記１〜５のいずれか一つに記載の無線制御装置。
【０１４２】
（付記７）前記切替制御部は、前記状態遷移の抑制の期間中、対向する前記信号処理部同士間でレイヤ３のヘルスチェックのコマンド要求および返答が送受信されたことに基づき、前記系統を切り替える、
ことを特徴とする付記６に記載の無線制御装置。
【０１４３】
（付記８）前記レイヤ１は、ＣＰＲＩ（Ｃｏｍｍｏｎ  Ｐｕｂｌｉｃ  Ｒａｄｉｏ  Ｉｎｔｅｒｆａｃｅ）プロトコルであり、複数の系統の前記信号処理部は、ＣＰＲＩインタフェースの前記伝送路を介して、前記無線装置の前記信号処理部に切り替え接続される、
ことを特徴とする付記１〜７のいずれか一つに記載の無線制御装置。
【０１４４】
（付記９）無線制御装置と、前記無線制御装置と伝送路を介して接続される無線装置と、を有する無線通信システムにおいて、
前記無線制御装置は、複数の系統の信号処理部と、
複数の前記系統の前記信号処理部のいずれかを前記無線装置の信号処理部に切り替え接続する切替制御部と、を有し、
前記信号処理部は、複数の異なるレイヤのプロトコルにしたがった通信制御を行い、
前記切替制御部は、前記系統の切り替え時には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする無線通信システム。
【０１４５】
（付記１０）前記切替制御部を前記無線装置に設けたことを特徴とする付記９に記載の無線通信システム。
【０１４６】
（付記１１）複数の異なるレイヤのプロトコルにしたがった通信制御を行う複数の系統の信号処理部を有する無線制御装置と、前記無線制御装置と伝送路を介して接続される信号処理部を有する無線装置と、の間の無線通信の接続切り替え方法において、
前記無線制御装置は、複数の前記系統の前記信号処理部のいずれかを前記無線装置の信号処理部に切り替え接続する際には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする接続切り替え方法。
【０１４７】
（付記１２）複数の異なるレイヤのプロトコルにしたがった通信制御を行う複数の系統の信号処理部を有する無線制御装置と、前記無線制御装置と伝送路を介して接続される信号処理部を有する無線装置と、の間の無線通信の接続切り替え方法において、
前記無線装置は、複数の前記系統の前記信号処理部のいずれかを前記無線装置の信号処理部に切り替え接続する際には、切り替え先の前記信号処理部に対しレイヤ１の状態遷移を抑制し、切り替え先の前記信号処理部と前記無線装置との間の対向する前記信号処理部同士間で行う上位レイヤの切り替え接続のコマンド送信を待機させた間に物理的スイッチを切り替える制御を行う、
ことを特徴とする接続切り替え方法。
【符号の説明】
【０１４８】
１００  基地局装置
１０１  無線制御装置（ＲＥＣ）
１０２（１０２Ａ，１０２Ｂ）  ＲＥＣ処理部
１０３（１０３Ａ，１０３Ｂ），１１３  上位プロトコル部（Ｌ２／Ｌ３）
１０４（１０４Ａ，１０４Ｂ），１０６Ａ，１０６Ｂ，１１２  ＣＰＲＩプロトコル部（Ｌ１）
１０５，１０５ａ  切替制御部
１０７  制御部
１１１  無線装置（ＲＥ）
１２１（１２１ａ，１２１ｂ）  伝送路
１３０  基地局制御部
１３１  ＮＷＩＦ
１３３  ＲＦ部
４００  コントロールワード
【図１】
2017092919.tif 000003
【図２】
2017092919.tif 000004
【図３】
2017092919.tif 000005
【図４】
2017092919.tif 000006
【図５】
2017092919.tif 000007
【図６】
2017092919.tif 000008
【図７】
2017092919.tif 000009
【図８】
2017092919.tif 000010
【図９】
2017092919.tif 000011
【図１０】
2017092919.tif 000012
【図１１】
2017092919.tif 000013
【図１２】
2017092919.tif 000014
【図１３】
2017092919.tif 000015